(57)【要約】【課題】工業用水或は海水を排熱回収ボイラへの給水に供する際に、工業用水或は海水を食塩、塩酸、苛性ソーダ等の各種薬品やイオン交換樹脂等の基材により処理することを不要とする。【解決手段】エンジン排ガス４から熱エネルギを回収し得るようにした排熱回収ボイラ３へ給水７を送給する給水管６に、工業用水或は海水７’を蒸発させ蒸留して純水にするための造水装置１１を設け、造水装置１１において工業用水或は海水７’を蒸発させる熱源として、エンジン１を冷却した後の高温水１３を用いるよう構成する。【選択図】        図１
2004202419.tif 000002
【特許請求の範囲】
【請求項１】
内燃機関からの排ガスより熱エネルギを回収し得るようにした排熱回収ボイラへ給水を送給する給水管に、工業用水或は海水を蒸発させ蒸留し、給水として用いる純水を生成する造水装置を設け、該造水装置において前記工業用水或は海水を蒸発させる熱源として、前記内燃機関を冷却した後の温度の上昇した高温水を用いるよう構成したことを特徴とする給水処理装置。
【請求項２】
造水装置で工業用水或は海水を加熱し蒸発させて温度の下降した水を、冷却手段を介さず、或は冷却手段を介して、冷却水として内燃機関のジャケットに送給し得るように構成した請求項１に記載の給水処理装置。
【発明の詳細な説明】
【０００１】
【発明の属する技術分野】
本発明は給水処理装置に関する。
【０００２】
【従来の技術】
熱電併給システムにおいては、発電機を駆動するエンジン等の内燃機関からの排ガスを排熱回収ボイラに送給して熱エネルギを回収し、蒸気、熱水等を生成させることが行われているが（例えば非特許文献１参照）、排熱回収ボイラへの給水は薬品により処理することが行われている（例えば、非特許文献２参照）。
【０００３】
【非特許文献１】
コージェネレーション総合マニアル  発行  平成１２年６月２６日
編集  日本コージェネレーションセンター  発行者  小高有二  発行所  通産資料調査会  第２２５頁及び第２２７頁のｅ．ジャケット冷却水系統、第２２６頁の図４．１．１５  排熱の回収方法と利用方法
【非特許文献２】
日本工業規格  ボイラの給水及びボイラの水質  Ｂ８２２３
【０００４】
非特許文献１に示す熱電併給システムの基本的な概要の一例は図２に示され、図中、ａは発電機ｂを駆動し得るようにしたエンジン、ｃは排熱回収ボイラであり、エンジン排ガスｄはエンジンａからダクトｅを通り排熱回収ボイラｃへ送給し得るようになっている。ｆは排熱回収ボイラｃに給水ｇを送給するための給水管、ｈは排熱回収ボイラｃで熱エネルギが回収されて給水ｇが加熱されることにより生成され、流体供給管ｉから後工程へ送給される蒸気又は熱水等の流体、ｊは排熱回収ボイラｃから後処理装置に送給されるボイラ排ガスである。
【０００５】
ｋは給水管ｆの中途部に接続された熱交換器ｌで給水ｇを加熱して温度の下降した水を冷却水ｍとしてエンジンａのジャケットに送給するための管路、ｎはエンジンａのシリンダライナ、シリンダヘッド等の燃焼室まわりの部品や排ガスマニホールド等を冷却して昇温した高温水ｏを熱交換器ｌに送給し得るようにした管路である。
【０００６】
上記熱電併給システムでは、エンジンａの駆動により発電機ｂが駆動され、発電が行われる。エンジンａからのエンジン排ガスｄはダクトｅを通って排熱回収ボイラｃへ導入され、排熱回収ボイラｃでは、エンジン排ガスｄから熱エネルギが回収され、熱交換器ｌで加熱されたうえ給水管ｆを通り供給された給水ｇが加熱されることにより蒸気或は熱水等の流体ｈが生成され、蒸気又は熱水等の流体ｈは流体供給管ｉから後工程の装置へ送給されて使用される。
【０００７】
又、エンジンａのシリンダライナ、シリンダヘッド等の燃焼室まわりの部品や排ガスマニホールド等を冷却して昇温した高温水ｏは、管路ｎから熱交換器ｌに送給され、給水ｇを加熱して温度が下降し、冷却水ｍとして管路ｋからエンジンａのジャケットへ循環、送給され、再び、エンジンａのシリンダライナ、シリンダヘッド等の燃焼室まわりの部品や排ガスマニホールド等を冷却し、昇温した水ｏは管路ｎから熱交換器ｌへ送給されて給水ｇを加熱する。
【０００８】
排熱回収ボイラｃへ供給される給水ｇとしては、工業用水或は海水が使用される。このため、給水管ｆには、給水前処理のために軟水装置や純水装置を設置するのが一般的であり、この処理のため、食塩、塩酸、苛性ソーダ（水酸化ナトリウム）等の各種薬品やイオン交換樹脂等の基材が必要となり、各種薬品の例は非特許文献２に示されている。非特許文献２に示された、給水前処理に用いられる薬品の例としては、水酸化ナトリウム、りん酸塩、ナトリウム塩、アンモニア、ヒドラジン、揮発性のアミン、過酸化水素等がある。
【０００９】
【発明が解決しようとする課題】
上述したように、従来の熱電併給システムの給水処理手段においては、排熱回収ボイラｃへ供給される給水ｇの処理のため、上述のように、各種薬品やイオン交換樹脂等の基材が必要となり、コストアップを招来する虞がある。
【００１０】
本発明は上述の実情に鑑み、食塩、塩酸、苛性ソーダ等の各種薬品やイオン交換樹脂等の基材を不要とし、コストダウンを図り得るようにした給水処理装置を提供することを目的としてなしたものである。
【００１１】
【課題を解決するための手段】
本発明の請求項１に記載の給水処理装置は、内燃機関からの排ガスより熱エネルギを回収し得るようにした排熱回収ボイラへ給水を送給する給水管に、工業用水或は海水を蒸発させ蒸留し、給水として用いる純水を生成する造水装置を設け、該造水装置において前記工業用水或は海水を蒸発させる熱源として、前記内燃機関を冷却した後の温度の上昇した高温水を用いるよう構成したものである。
【００１２】
本発明の請求項２に記載の給水処理装置は、造水装置で工業用水或は海水を加熱し蒸発させて温度の下降した水を、冷却手段を介さず、或は冷却手段を介して、冷却水として内燃機関のジャケットに送給し得るように構成したものである。
【００１３】
本発明によれば、工業用水或は海水を排熱回収ボイラの給水として使用するために必要な処理をする場合に、食塩、塩酸、苛性ソーダ等の各種薬品やイオン交換樹脂等の基材が不要となるため、コストダウンを図ることができる。
【００１４】
【発明の実施の形態】
以下、本発明の実施の形態を添付図面を参照して説明する。
図１中、１は発電機２を駆動し得るようにしたエンジン、３は排熱回収ボイラであり、エンジン排ガス４はエンジン１からダクト５を通り排熱回収ボイラ３へ送給し得るようになっている。６は排熱回収ボイラ３に給水７を送給するための給水管、８は排熱回収ボイラ３で熱エネルギが回収されて給水７が加熱されることにより生成され、流体供給管９から後工程へ送給される蒸気又は熱水等の流体、１０は排熱回収ボイラ３から後処理装置に送給されるボイラ排ガスである。
【００１５】
１１は給水管６の中途部に接続されて送給されてきた工業用水或は海水７’から給水７としての純水を生成させる従来公知の造水装置で、造水装置１１では、加熱されて生成した蒸気は蒸留器で蒸留されるようになっている。
【００１６】
１２はエンジン１を冷却して温度が８０〜９０℃に昇温した高温水１３を造水装置１１に送給して工業用水或は海水７’を加熱、蒸発させ、温度が下降した水を冷却水１３’としてエンジン１のジャケットへ送給するための管路、１４は管路１２の中途部に設けられた三方弁、１５は一端を三方弁１４に接続されると共に、他端を管路１２の三方弁１４接続位置よりも冷却水１３’流れ方向下流側に接続された管路、１６は管路１５の中途部に接続されたラジエータである。
【００１７】
次に、上記した実施の形態の作動を説明する。
上記図示例においては、エンジン１の駆動により発電機２が駆動されて発電が行われ、エンジン１からのエンジン排ガス４はダクト５を通って排熱回収ボイラ３へ導入される。
【００１８】
一方、給水管６を送給されてきた工業用水或は海水７’は造水装置１１において、管路１２から送給された高温水１３により加熱され蒸発されると共に蒸留されることにより純水が生成され、純水は給水７として排熱回収ボイラ３へ導入され、エンジン排ガス４により加熱されて蒸気或は熱水等の流体８が生成され、流体８は流体供給管９から後工へ送給され、使用される。
【００１９】
造水装置１１で工業用水或は海水７’を加熱して温度の下降した水は、冷却水１３’としてエンジン１のジャケットへ送給され、シリンダライナ、シリンダヘッド等の燃焼室まわりの部品や排ガスマニホールド等を冷却して昇温し、高温水１３として再び管路１２へ導出され、造水装置１１へ送給される。
【００２０】
エンジン１のジャケットへ送給される冷却水１３’の温度が所定の温度よりも高い場合は、三方弁１４を切換えて冷却水１３’を管路１５からラジエータ１６へ送給して冷却し、温度を下降させたうえエンジン１のジャケットへ送給するようにすると良い。冷却水１３’をラジエータ１６で冷却するか否かは、運転状態に応じて適宜選択することができる。
【００２１】
本図示例によれば、工業用水或は海水７’を給水７として使用するために必要な処理をする場合に、食塩、塩酸、苛性ソーダ等の各種薬品やイオン交換樹脂等の基材が不要となるため、コストダウンを図ることができる。
【００２２】
なお、本発明の給水処理装置においては、内燃機関としてエンジンを用いる場合について説明したが、ガスタービンを用いることも可能であること、その他、本発明の要旨を逸脱しない範囲内において種々変更を加え得ることは勿論である。
【００２３】
【発明の効果】
以上、説明したように本発明の請求項１、２の給水処理装置によれば、工業用水或は海水を排熱回収ボイラの給水として使用するために必要な処理をする場合に、食塩、交換樹脂、塩酸、苛性ソーダ等の各種薬品やイオン交換樹脂等の基材が不要となるため、コストダウンを図ることができ、経済的であるという優れた効果を奏し得る。
【図面の簡単な説明】
【図１】本発明の給水処理装置の実施の形態の一例を示すフロー図である。
【図２】従来の給水処理装置の一例を示すフロー図である。
【符号の説明】
１  エンジン（内燃機関）
３  排熱回収ボイラ
４  エンジン排ガス（排ガス）
６  給水管
７  給水
７’        工業用水或は海水
１１  造水装置
１３  高温水
１３’        冷却水
１６  ラジエータ（冷却手段）
【図１】
2004202419.tif 000003
【図２】
2004202419.tif 000004